Podtech/llm-jp-corpus-v4-ja_patent huggingface dataset:
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
ヒトまたはその他の哺乳動物における性機能不全の治療に使用するための、a）NMDAレセプターアンタゴニストまたは薬学的に許容されるその塩、およびb）μ-オピエートレセプターのアゴニスト、部分アゴニストもしくはアゴニスト／アンタゴニスト、または薬学的に許容されるその塩を含む、作用物質の組合せ。
【請求項２】
性機能不全が早漏である、請求項1記載の作用物質の組合せ。
【請求項３】
作用物質が別々にまたは組み合わせて投与される、請求項1記載の作用物質の組合せ。
【請求項４】
作用物質が性的活動の前に投与される、請求項1記載の作用物質の組合せ。
【請求項５】
作用物質が経口的に、インプラントによって、非経口的に、皮下で、舌下で、経直腸的に、局所的に、または吸入を介して投与される、請求項1記載の作用物質の組合せ。
【請求項６】
NMDAレセプターアンタゴニストがデキストロメトルファン、デキストロルファン、ケタミン、アマンタジン、メマンチン、エリプロジル、イフェンプロジル、フェンシクリジン、MK-801、ジゾシルピン、CCPエン、フルピルチン、またはその誘導体もしくは塩である、請求項1記載の作用物質の組合せ。
【請求項７】
μ-オピエートレセプターアゴニスト、部分アゴニストまたはアゴニスト／アンタゴニストが、(1R,2Rまたは1S,2S)-(ジメチルアミノメチル)-1-(3-メトキシフェニル)-シクロヘキサノール（トラマドール）、そのN-酸化物誘導体（「トラマドールN-酸化物」）、およびそのO-デスメチル誘導体（「O-デスメチルトラマドール」）、またはその混合物、立体異性体もしくはラセミ体の任意の1つである、請求項1記載の作用物質の組合せ。
【請求項８】
μ-オピエートレセプターアゴニスト、部分アゴニストまたはアゴニスト／アンタゴニストがトラマドールである、請求項7記載の作用物質の組合せ。
【請求項９】
μ-オピエートレセプターアゴニスト、部分アゴニストまたはアゴニスト／アンタゴニストに対するNMDAレセプターアンタゴニストの割合が約15：1〜1：15、約10：1〜1：10、約5：1〜1：5、または約1：2である、請求項1記載の作用物質の組合せ。
【請求項１０】
ホスホジエステラーゼ阻害剤もしくは薬学的に許容されるその塩、またはチトクロームP450阻害剤もしくは薬学的に許容されるその塩が作用物質として含まれる、請求項1記載の作用物質の組合せ。
【請求項１１】
ホスホジエステラーゼ阻害剤がV型ホスホジエステラーゼ阻害剤である、またはシルデナフィル、アミノフィリン、テオフィリン、アムリノン、ミルリノン、ベスナリノン、ビンポセチン、ペモベンダン、シロスタミド、エノキシモン、ペロキシモン、ロリプラム、R020-1724、ザニプラスト、ジピリダモール、MY5445もしくはIC-351、または薬学的に許容されるその塩である、請求項10記載の作用物質の組合せ。
【請求項１２】
チトクロームP450阻害剤が、キニジン、キニン、ナフチリジン、キサンチン、フェノキシアミノアルカン、カルバモイルイミダゾール、グアニジンイミダゾール、シメチジン（N-シアノ-N'-メチル-N"-[2[[(5-メチル-1H-イミダゾール-4イル)メチル]チオ]エチル]グアニジン）、キノリン、クロロキン（7-クロロ-4-(4-ジエチルアミノ-1-メチルブチルアミノ)キノリン）、プリマキン（8-(4-アミノ-1-メチルブチルアミノ)-6-メトキシキノリン）、トリフルオロメチルオキシムエーテル、5-メトキシ-1-[4-(トリフルオロメチル)-フェニル]-1ペンタノンO-(2-アミノエチル)オキシムとしても公知であるフルボキサミン、または薬学的に許容されるその塩からなる群より選ばれるデブリソキンヒドロキシラーゼ阻害剤である、請求項10記載の作用物質の組合せ。
【請求項１３】
NMDAレセプターアンタゴニスト対チトクロームP450阻害剤対μ-オピエートレセプターアゴニスト、部分アゴニストまたはアゴニスト／アンタゴニストの割合が約90：1：1〜1：90：1〜1：1:90である、請求項10記載の作用物質の組合せ。
【請求項１４】
カフェインが追加の作用物質として含まれる、請求項1または10記載の作用物質の組合せ。
【請求項１５】
作用物質の組み合わせを含む薬学的組成物であって、組み合わせが、a）NMDAレセプターアンタゴニストまたは薬学的に許容されるその塩、b）μ-オピエートレセプターアゴニスト、部分アゴニストもしくはアゴニスト／アンタゴニスト、または薬学的に許容されるその塩、およびV型ホスホジエステラーゼ阻害剤もしくは薬学的に許容されるその塩、チトクロームP450阻害剤もしくは薬学的に許容されるその塩、またはカフェインからなるc)のいずれか１つ、２つまたは３つ全て、を含む、薬学的組成物。
【手続補正書】
【提出日】平成21年12月4日(2009.12.4)
【手続補正１】
【補正対象書類名】明細書
【補正対象項目名】００１３
【補正方法】変更
【補正の内容】
【００１３】
化合物ｂ）
既述のとおり、成分（ｂ）は皮膚ケア油から構成される。用語「油」は、「トリグリセリド」の化学的な狭義で用いられない。油はむしろ、室温で油状のコンシステンシーを有する成分であると理解される。成分（ｂ）は、モノグリセリド、ジグリセリド、トリグリセリドおよび脂肪酸アルキルエステルからなる群から選択することが好ましい。これらの物質は、天然起源の物質および合成物質のいずれであってもよい。
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
オフセットガイドと、第１長手軸を有する第１経路と、第２長手軸を有する第２経路をと有し、前記第１長手軸は前記第２長手軸から所定角度オフセットしているシステム。
【請求項２】
前記ガイドは前記第１長手軸に沿ってスロットを有する請求項１に記載のシステム。
【請求項３】
前記第１通路は、長手軸を有するガイドワイヤと長手軸を有するカニューレの一方を受け入れることができる請求項１に記載のシステム。
【請求項４】
前記第２通路は、長手軸を有するガイドワイヤと長手軸を有するカニューレの一方を受け入れることができる請求項１に記載のシステム。
【請求項５】
長手軸、基端及び先端を有するカニューレをさらに有し、前記先端は前記第２通路を通過することができ、前記先端は前記長手軸に沿ってスロットを有する請求項４に記載のシステム。
【請求項６】
長手軸を有するガイドワイヤをさらに有し、前記ガイドワイヤは前記第１通路内に挿入されることができ、前記カニューレの先端のスロットを通過することができる請求項５に記載のシステム。
【請求項７】
前記カニューレは前記第２通路にスライド可能に接続されている請求項５に記載のシステム。
【請求項８】
前記カニューレに操作可能に接続された回転ノブをさらに有し、これにより回転時に前記カニューレは前記第２通路の長手軸に沿って線形的に平行移動される請求項７に記載のシステム。
【請求項９】
前記カニューレは脊椎骨に係合することができる請求項５に記載のシステム。
【請求項１０】
前記カニューレは脊椎骨にほぼ垂直に脊椎骨椎弓根に係合することができる請求項５に記載のシステム。
【請求項１１】
ガイドワイヤをさらに有し、前記ガイドワイヤは第１通路に挿入され、脊椎骨椎弓根と前記カニューレの先端のスロットを通過し、隣接椎間板空間に進入することができる請求項１０に記載のシステム。
【請求項１２】
ガイドワイヤをさらに有し、前記ガイドワイヤは第１通路に挿入され、脊椎骨椎弓根、カニューレ先端スロット、及び隣接椎間板空間を通って、骨構造に進入することができる請求項１０に記載のシステム。
【請求項１３】
前記隣接骨構造は脊椎骨である請求項１２に記載のシステム。
【請求項１４】
第１長手軸を有する第１通路と第２長手軸を有する第２通路とを有し、前記第１長手軸は前記第２長手軸から所定角度オフセットしているオフセットガイドと、
前記第１通路内を挿入することができる長手軸を有するガイドワイヤ及び長手軸を有するカニューレとからなる外科手術キット。
【請求項１５】
前記カニューレは前記第１通路内に挿入することができる長手軸を有する請求項１４に記載の外科手術キット。
【請求項１６】
前記ガイドワイヤは前記第２通路内に挿入することができる長手軸を有する請求項１４に記載の外科手術キット。
【請求項１７】
長手軸、基端及び先端を有し、前記先端が前記第２通路を通過することができ、前記先端が前記長手軸に沿ってスロットを有するカニューレをさらに含む請求項１４に記載のキット。
【請求項１８】
前記カニューレは脊椎骨椎弓根を脊椎骨にほぼ垂直に係合することができる請求項１７に記載の外科手術キット。
【請求項１９】
前記ガイドワイヤは、前記第１通路に挿入され、前記脊椎骨椎弓根、カニューレ先端スロットを通って、隣接椎間板空間に挿入されることができる請求項１８に記載の外科手術キット。
【請求項２０】
前記ガイドワイヤは、前記第１通路に挿入され、前記脊椎骨椎弓根、カニューレ先端スロット、隣接椎間板空間を通って、隣接骨構造に挿入されることができる請求項１８に記載の外科手術キット。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
個々のヌクレオチドを同定する方法であって、
（a）該ヌクレオチドを膜貫通タンパク質細孔と接触させ、その結果、該ヌクレオチドが該細孔と相互作用する工程、および
（b）該相互作用の間に該細孔を通過する電流を測定し、それによって該ヌクレオチドの実体を決定する工程
を含む、方法。
【請求項２】
相互作用が、ヌクレオチドが細孔のチャネルへ可逆的に結合することを伴う、請求項1記載の方法。
【請求項３】
前記細孔が、（a）7つの同一の、配列番号2に示されるサブユニットから形成されているα溶血素、または（b）7つのサブユニットのうち1つ以上が、全配列にわたって、アミノ酸同一性に基づいて配列番号2に対して少なくとも50%の相同性を有し、かつ細孔活性を保持する、その変異体である、請求項1または2記載の方法。
【請求項４】
前記7つのサブユニットのうち1つ以上が(M113R)7である、請求項3記載の方法。
【請求項５】
前記細孔が、前記ヌクレオチドと前記細孔との相互作用を促進する分子アダプターを含む、請求項1〜4のいずれか一項記載の方法。
【請求項６】
前記分子アダプターが、ヘプタキス-6-アミノ-β-シクロデキストリン（am7-β-CD）である、請求項5記載の方法。
【請求項７】
前記個々のヌクレオチドが、モノホスフェート、ジホスフェート、またはトリホスフェートである、前記請求項のいずれか一項記載の方法。
【請求項８】
前記個々のヌクレオチドがリボヌクレオチドまたはデオキシリボヌクレオチドである、前記請求項のいずれか一項記載の方法。
【請求項９】
工程（a）の前にリボ核酸（RNA）配列を消化し前記個々のヌクレオチドを提供する工程をさらに含む、請求項8記載の方法。
【請求項１０】
工程（a）の前にデオキシリボ核酸（DNA）配列を消化し前記個々のヌクレオチドを提供する工程をさらに含む、請求項8記載の方法。
【請求項１１】
前記RNAまたはDNA配列の2つ以上の前記個々のヌクレオチドを、連続して、前記細孔と接触させ、その結果、該配列の全部または一部の実体が決定され得る、請求項9または10記載の方法。
【請求項１２】
標的核酸配列を配列決定する方法であって、
（a）プロセッシブエキソヌクレアーゼ（processive exonuclease）を使用して該標的配列の一方の末端から個々のヌクレオチドを消化する工程；
（b）該ヌクレオチドを膜貫通タンパク質細孔と接触させ、その結果、該ヌクレオチドが該細孔と相互作用する工程；
（c）該相互作用の間に該細孔を通過する電流を測定し、それによって該ヌクレオチドの実体を決定する工程；および
（d）該核酸配列の同一の末端で工程（a）〜（c）を繰り返し、それによって該核酸の配列を決定する工程
を含む、方法。
【請求項１３】
核酸を配列決定するためのキットであって、
−  シクロデキストリン；および
−  プロセッシブエキソヌクレアーゼ
を含む、キット。
【請求項１４】
貫通膜タンパク質細孔をさらに含む、請求項13記載のキット。
【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
対象が不安または不安を伴う病気と診断された後、前記対象に十分な量のＦＧＦ２ペプチドまたはＦＧＦ２の作用を模倣する化合物を投与するステップを含む、対象における不安の症状を治療する方法において使用するための、ＦＧＦ２ペプチドまたはＦＧＦ２の作用を模倣する化合物。
【請求項２】
前記対象がヒトである、請求項１に記載の使用のためのＦＧＦ２ペプチドまたはＦＧＦ２の作用を模倣する化合物。
【請求項３】
前記十分な量が、少なくとも１週間の長さの期間にわたって、少なくとも毎週２回投与される量である、請求項１に記載の使用のためのＦＧＦ２ペプチドまたはＦＧＦ２の作用を模倣する化合物。
【請求項４】
前記病気が、大うつ病または大うつ病性障害である、請求項１に記載の使用のためのＦＧＦ２ペプチドまたはＦＧＦ２の作用を模倣する化合物。
【請求項５】
ＦＧＦ２ペプチドまたはＦＧＦ２の作用を模倣する化合物が薬学的に許容される担体を用いて投与される、請求項１に記載の使用のためのＦＧＦ２ペプチドまたはＦＧＦ２の作用を模倣する化合物。
【請求項６】
ＦＧＦ２ペプチドまたはＦＧＦ２の作用を模倣する化合物が経口的に、経鼻的に、局所的に、静脈内に、腹膜内に、あるいはクモ膜下腔内に投与される、請求項１に記載の使用のためのＦＧＦ２ペプチドまたはＦＧＦ２の作用を模倣する化合物。
【請求項７】
ＦＧＦ２ペプチドまたはＦＧＦ２の作用を模倣する化合物が長期にわたって投与される、請求項１に記載の使用のためのＦＧＦ２ペプチドまたはＦＧＦ２の作用を模倣する化合物。
【請求項８】
ＦＧＦ２ペプチドが組換え型ペプチドである、請求項１に記載の使用のためのＦＧＦ２ペプチドまたはＦＧＦ２の作用を模倣する化合物。
【請求項９】
対象が不安または不安を伴う病気と診断された後前記対象における不安の症状を治療するための薬剤を製造するための、ＦＧＦ２ペプチドまたはＦＧＦ２の作用を模倣する化合物の使用。
【請求項１０】
前記対象がヒトである、請求項９に記載の使用。
【請求項１１】
薬剤が、少なくとも１週間の長さの期間にわたって、少なくとも毎週２回投与される量での投与のためのものである、請求項９に記載の使用。
【請求項１２】
前記病気が、大うつ病または大うつ病性障害である、請求項９に記載の使用。
【請求項１３】
ＦＧＦ２ペプチドまたはＦＧＦ２の作用を模倣する化合物が、薬学的に許容される担体を用いて投与されるためのものである、請求項９に記載の使用。
【請求項１４】
薬剤が、経口的に、経鼻的に、局所的に、静脈内に、腹膜内に、あるいはクモ膜下腔内に投与されるためのものである、請求項９に記載の使用。
【請求項１５】
薬剤が長期にわたって投与されるためのものである、請求項９に記載の使用。
【請求項１６】
ＦＧＦ２ペプチドが組換え型ペプチドである、請求項９に記載の使用。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
拡張可能な構造体を有する固定用導管であって、
前記拡張可能な構造体は、近位固定構成要素、及び遠位固定構成要素を有し、
前記拡張可能な構造体の拡張により、前記近位固定構成要素及び前記遠位固定構成要素が体組織構成要素と接合され、開放空洞を構成する、固定用導管。
【請求項２】
前記開放空洞は、実質的に均一な内面を有する、請求項１に記載の固定用導管。
【請求項３】
前記固定用導管は、心臓弁を使用不能にすることができる、請求項１に記載の固定用導管。
【請求項４】
前記固定構成要素は、生来の心臓弁の構成要素を生来の心臓弁の弁輪に押付けてつぶすことによって、生来の心臓弁を使用不能にすることができる、請求項１に記載の固定用導管。
【請求項５】
前記固定構成要素は、心臓弁プロテーゼを受入れるように構成される、請求項１に記載の固定用導管。
【請求項６】
前記固定構成要素は、血管内を配送可能である、請求項１に記載の固定用導管。
【請求項７】
更に、拡張可能な構造体と連通したハーバーを有し、前記ハーバーは、第１の解放可能な係合構成要素を有する、請求項１に記載の固定用導管。
【請求項８】
第２の解放可能な係合構成要素を有する心臓弁プロテーゼを、前記ハーバーの第１の解放可能な係合構成要素に堅固に結合させたりそれから分離させたりすることが可能である、請求項７に記載の固定用導管。
【請求項９】
前記心臓弁プロテーゼは、心臓内で前記ハーバーの第１の解放可能な係合構成要素に結合させたりそれから分離させたりすることが可能である、請求項８に記載の固定用導管。
【請求項１０】
心臓プロテーゼシステムであって、
第１の解放可能な係合構成要素を有するハーバーを有する固定用導管と、
仮の弁と、
前記ハーバーの第１の解放可能な係合構成要素に堅固に結合させたりそれから分離させたりすることが可能な第２の解放可能な係合構成要素を有する心臓弁プロテーゼと、を有する心臓プロテーゼシステム。
【請求項１１】
更に、第２の心臓弁プロテーゼを有し、前記第２の心臓弁プロテーゼは、前記ハーバーの第１の解放可能な係合構成要素に結合させたりそれから分離させたりすることが可能である第２の解放可能な係合構成要素を有する、請求項１０に記載の心臓プロテーゼシステム。
【請求項１２】
前記固定用導管は、大動脈心臓弁に配置可能である、請求項１０に記載の心臓プロテーゼシステム。
【請求項１３】
前記固定用導管は、肺動脈心臓弁に配置可能である、請求項１０に記載の心臓プロテーゼシステム。
【請求項１４】
前記固定用導管は、血管の中を配送可能である、請求項１０に記載の心臓プロテーゼシステム。
【請求項１５】
前記仮の弁は、心臓弁の機能を一時的に行う、請求項１０に記載の心臓プロテーゼシステム。
【請求項１６】
解放可能な係合構成要素を有する心臓弁プロテーゼを有し、
前記解放可能な係合構成要素は、心臓の中に配置されたハーバーに連結可能である、心臓装置。
【請求項１７】
前記ハーバーは、固定用導管に配置される、請求項１６に記載の心臓装置。
【請求項１８】
前記ハーバーは、前記心臓弁プロテーゼの解放可能な係合構成要素に結合可能である解放可能な係合構成要素を有する、請求項１６に記載の心臓装置。
【請求項１９】
前記心臓弁プロテーゼは、心臓の中に配置されたハーバーへの結合から解放可能である、請求項１６に記載の心臓装置。
【請求項２０】
ハーバーを有する固定用導管を有し、
前記ハーバーは、解放可能な係合構成要素を有する、心臓プロテーゼシステム。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
乳頭筋位置決め装置であって、
心室の心臓の自然位置の弁に固定されるように構成された第１アンカーと、
心臓弁の筋肉壁に固定されるように構成された第２アンカーと、
長さを調節することができるとともに、前記第１アンカー及び前記第２アンカーに連結されるように構成された支持構造体と、を有し、
前記支持構造体の長さを調節することにより、前記第１アンカーと前記第２アンカーの間の距離を変えるようにした、乳頭筋位置決め装置。
【請求項２】
前記第１アンカーは、弁の弁輪に固定される弁輪形成リングである、請求項１に記載の装置。
【請求項３】
前記第２アンカーは乳頭筋の位置で前記筋肉壁を刺し通し、長さを調節することができる支持構造体が乳頭筋と前記第１アンカーとの間の距離を変えることができる、請求項１に記載の装置。
【請求項４】
更に、心臓弁内に配置される内部拘束部及び心臓弁の外側の周りに配置される外部拘束部のうちの一方を有し、
前記内部拘束部及び前記外部拘束部の他方は、筋肉の横方向の位置を変えるように構成される、請求項１に記載の装置。
【請求項５】
前記支持構造体は、略円形の断面形状又は略正方形の断面形状を有する、請求項１に記載の装置。
【請求項６】
前記第１アンカー及び前記第２アンカーのうちの一方は、前記支持構造体に係合するロックを有する、請求項１に記載の装置。
【請求項７】
前記支持構造体は、その長さを適所でロックすることが可能な内部ロック領域を有する、請求項１に記載の装置。
【請求項８】
前記第１アンカーは、弁輪の周りを少なくとも一部延びる可撓性アームを有する弁輪アンカーである、請求項１に記載の装置。
【請求項９】
前記第１アンカーは、弁輪形成装置に連結されるように構成された連結機構を有する、請求項１に記載の装置。
【請求項１０】
前記支持構造体は、互いに対応してネジが切られた内部領域を有する、請求項１に記載の装置。
【請求項１１】
乳頭筋制御装置であって、
乳頭筋の近位に結合されるべき第１アンカーと、
弁輪形成装置に結合されるように構成された第２アンカーと、を有し、
前記第２アンカーは、乳頭筋と弁輪形成装置との間の距離を調節することができるように、前記第１アンカー及び前記第２アンカーに結合される支持構造体の長さを調節する調節機構を有する装置。
【請求項１２】
前記第１アンカーは、乳頭筋の外側の少なくとも一部の周りに固定される、請求項１１に記載の装置。
【請求項１３】
前記第１アンカーは、パッドを有し、前記支持構造体は、乳頭筋を包囲するように前記パッドに連結される、請求項１１に記載の装置。
【請求項１４】
前記第２アンカーは、前記弁輪形成装置の外面に連結されるクランプを有する、請求項１１に記載の装置。
【請求項１５】
前記支持構造体は、生体適合性材料、生体工学加工材料、及び、コラーゲンのうち少なくとも１つを含む、請求項１１に記載の装置。
【請求項１６】
前記支持構造体は、外科用縫合糸を含む、請求項１１に記載の装置。
【請求項１７】
前記調節機構は、ネジ山を有し且つ互いに対応する内部領域部を有し、前記内部領域部の一方は、その回転により前記支持構造体の長さを調節するように前記支持構造体に連結される、請求項１１に記載の装置。
【請求項１８】
前記調節機構は、更に、ネジ山を有する挿入部と、ネジ山を有するケーシングとを有し、前記ネジ山を有する挿入部は、回転力を受入れるように構成され、前記ネジ山を有するケーシングは、前記縫合糸に連結され、前記ネジ山を有する挿入部を回転させることにより、前記支持構造体の長さを調節する、請求項１１に記載の装置。
【請求項１９】
前記調節機構は、前記支持構造体を固定長さに固定するロック装置を有する、請求項１１に記載の装置。
【請求項２０】
乳頭筋位置決めシステムであって、
第１乳頭筋に結合される第１支持構造体と、
前記第１支持構造体の長さを調節して第１乳頭筋を位置決めするように、前記第１支持構造体に結合される第１調節機構と、を有する乳頭筋位置決めシステム。
【請求項２１】
更に、第２乳頭筋に結合される第２支持構造体と、
前記第２支持構造体の長さを調節して第２乳頭筋を位置決めするように、前記第２支持構造体に結合される第２調節機構と、を有する請求項２０に記載の乳頭筋位置決めシステム。
【請求項２２】
更に、僧帽弁の弁輪に連結される弁輪形成装置を有し、前記弁輪形成装置は、前記第１調節機構及び前記第２調節機構が弁輪の近位に位置するように、前記第１調節機構及び前記第２調節機構に結合される、請求項２１に記載の乳頭筋位置決めシステム。
【請求項２３】
更に、第１乳頭筋の近位に配置されたアンカーを有し、前記アンカーは、前記第１支持構造体が第１乳頭筋に結合されるように前記第１支持構造体を受入れる、請求項２０に記載の乳頭筋位置決めシステム。
【請求項２４】
前記アンカーは、第１乳頭筋の外面に、又は、第１乳頭筋に対応する心臓弁壁の外面であって第１乳頭筋の下に取付けられる、請求項２３に記載の乳頭筋位置決めシステム。
【請求項２５】
前記支持構造体は、第１乳頭筋の周りに輪を形成する縫合糸である、請求項２３に記載の乳頭筋位置決めシステム。
【請求項２６】
前記第１調節機構は、前記第１支持構造体の長さを調節するように互いに相互作用するネジ山付き構成要素を有し、前記ねじ山付き構成要素の一方は、前記第１支持構造体に結合される、請求項２３に記載の乳頭筋位置決めシステム。
【請求項２７】
前記第１調節機構は、前記第１支持構造体の長さを固定するように前記第１支持構造体に固定可能に係合するピンを有する、請求項２３に記載の乳頭筋位置決めシステム。
【請求項２８】
前記第１支持構造体は、半剛性の細長いロッドであり、前記細長いロッドは、実質的に一方向に曲がる、請求項２３に記載の乳頭筋位置決めシステム。
【請求項２９】
前記第１支持構造体は、前記第１支持構造体を固着する内部安全ワイヤを収容する、請求項２３に記載の乳頭筋位置決めシステム。
【請求項３０】
乳頭筋位置決め装置であって、
乳頭筋と弁輪の間に配置される支持構造体と、
前記支持構造体の長さを変更し且つ前記支持構造体の長さを変更長さに固定するように、前記支持構造体に固定可能に係合する調節装置と、を有する乳頭筋位置決め装置。
【請求項３１】
前記調節装置は、弁輪、弁輪に結合される弁輪形成装置、及び乳頭筋のうちの少なくとも１つの近位に配置され、又は、乳頭筋の内側に部分的に配置される、請求項３０に記載の乳頭筋位置決め装置。
【請求項３２】
前記支持構造体又は前記調節装置は、互いに相互作用するネジ山付き構成要素を有し、前記ネジ山付き構成要素の一方は、他方に対して移動することができ、他方に固定可能に係合する、請求項３０に記載の乳頭筋位置決め装置。
【請求項３３】
前記調節装置は、遠隔作動装置からの指示を受取り、それに応答して前記支持構造体の長さを調節するように構成される、請求項３０に記載の乳頭筋位置決め装置。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
締付け装置であって、
心臓の組織構成要素と連結可能な取付け部材を有する近位端部、及び、遠位端部を有するアンカー固定構成要素と、
心臓の組織構成要素と連結可能な取付け部材を有するロック構成要素と、
引張り部材と、を有し、
前記アンカー固定構成要素は、心臓の組織構成要素の第１目標部位に位置決め可能であり、前記ロック構成要素は、心臓の組織構成要素の第２目標部位に位置決め可能であり、
前記引張り部材は、前記アンカー固定構成要素と前記ロック構成要素の両方に結合され、前記第１目標部位と前記第２目標部位との間の距離を調節するように作動され、前記ロック構成要素によって固定される、締付け装置。
【請求項２】
前記引張り部材は、前記第１目標部位と前記第２目標部位の間の距離を減少させるために、前記引張り部材を前進させることによって、前記第１目標部位と前記第２目標部位の間の距離を調節するように作動される、請求項１に記載の締付け装置。
【請求項３】
前記ロック構成要素による固定は、解除可能である、請求項１に記載の締付け装置。
【請求項４】
前記引張り部材は、前記ロック構成要素による固定から解除され、更に前進させられ、前記ロック構成要素によって再固定される、請求項３に記載の締付け装置。
【請求項５】
前記第１目標部位は、後僧帽弁輪に位置し、前記第２目標部位は、前僧帽弁輪に位置する、請求項１に記載の締付け装置。
【請求項６】
前記第１目標部位と前記第２目標部位の間の距離は、中隔−側面直径である、請求項５に記載の締付け装置。
【請求項７】
前記第１目標部位は、大動脈弁輪に位置し、前記第２目標部位は、大動脈弁輪に位置する、請求項１に記載の締付け装置。
【請求項８】
前記第１目標部位及び前記第２目標部位は、大動脈根における心臓洞と大動脈管の接合部の近位に位置する、請求項１に記載の締付け装置。
【請求項９】
前記第１目標部位及び前記第２目標部位は、肺動脈弁の近位に位置する、請求項１に記載の締付け装置。
【請求項１０】
前記第１目標部位及び前記第２目標部位は、三尖弁の近位に位置する、請求項１に記載の締付け装置。
【請求項１１】
前記アンカー固定構成要素は、血管内を配送可能である、請求項１に記載の締付け装置。
【請求項１２】
前記ロック構成要素は、長いアーム装置を使って配送可能である、請求項１に記載の締付け装置。
【請求項１３】
前記引張り部材は、患者の体外から前進可能である、請求項１に記載の締付け装置。
【請求項１４】
前記ロック構成要素は、患者の体外から作動可能である、請求項１に記載の締付け装置。
【請求項１５】
中隔−側面弁輪締め付け装置であって、
心臓の組織構成要素と連結可能な取付け部材を有する近位端部、及び、係合部材を有する遠位端部を有するアンカー固定構成要素と、
心臓の組織構成要素と連結可能な取付け部材を有するロック構成要素と、
係合遠位端部を有するワイヤと、を有し、
前記アンカー固定構成要素は、心臓の組織構成要素の第１目標部位に位置決め可能であり、前記ロック構成要素は、心臓の組織構成要素の第２目標部位に位置決め可能であり、
前記ワイヤは、前記ロック構成要素の中を通され、前記ワイヤの係合遠位端部は、前記アンカー固定構成要素の近位端部に結合可能であり、
前記ワイヤは、前記第１目標部位と前記第２目標部位の間の距離を減少させるように前進可能であり、前記ロック構成要素によって固定可能である、中隔−側面弁輪締付け装置。
【請求項１６】
前記ロック構成要素による固定は、解除可能である、請求項１５に記載の中隔−側面弁輪締付け装置。
【請求項１７】
前記ワイヤは、前記ロック構成要素による固定から解除され、更に前進させられ、前記ロック構成要素によって再固定される、請求項１６に記載の中隔−側面弁輪締付け装置。
【請求項１８】
前記弁輪は僧帽弁輪である、請求項１５に記載の中隔−側面弁輪締付け装置。
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
流体源から乳頭部を介して乳児の口への流体の流れを測定する方法であって、
前記流体源から前記乳児の口への流体の流れに対する授乳経路を与える段階と、
前記授乳経路を介して前記乳児の口に対して与えられる流体の量を示すようインジケータ経路を与える段階と、
を有し、
前記授乳経路は、前記流体源と連絡する第１の開口と、前記乳児の口と連絡する第２の開口とを有し、
前記インジケータ経路は、前記流体源と連絡する第１の開口と、前記乳児の口と連絡する第２の開口とを有し、また、前記インジケータ経路は、該インジケータ経路のセグメントの間に少なくとも１つの中間チャンバを有し、
前記インジケータ経路及び前記少なくとも１つの中間チャンバへと引き込まれた前記流体の量は、前記授乳経路へと引き込まれた前記流体の量を示す、
方法。
【請求項２】
装置であって、
前記流体源から前記乳児の口への流体の流れに対する授乳経路と、
前記授乳経路を介して前記乳児の口に対して与えられる前記流体の量を示すインジケータ経路と、
を有し、
前記授乳経路は、前記流体源と連絡する第１の開口と、前記乳児の口と連絡する第２の開口とを有し、
前記インジケータ経路は、前記流体源と連絡する第１の開口と、前記乳児の口と連絡する第２の開口とを有し、また、前記インジケータ経路は、該インジケータ経路のセグメントの間に少なくとも１つの中間チャンバを有し、
前記インジケータ経路及び前記少なくとも１つの中間チャンバへと引き込まれる前記流体の量は、前記授乳経路へと引き込まれる前記流体の量を示す、
装置。
【請求項３】
前記インジケータ経路は、該インジケータ経路のセグメントの間に少なくとも２つの中間チャンバを有する、
請求項１記載の方法。
【請求項４】
前記インジケータ経路は、該インジケータ経路のセグメントの間に少なくとも３つの中間チャンバを有する、
請求項１記載の方法。
【請求項５】
前記インジケータ経路の断面積は、前記授乳経路の断面積より実質的に小さい、
請求項１記載の方法。
【請求項６】
前記インジケータ経路の長さは、前記授乳経路の長さより実質的に長い、
請求項１記載の方法。
【請求項７】
前記乳児の口と前記授乳経路の前記第２の開口と前記インジケータ経路の前記第２の開口との間において圧力送出経路を与える段階、
を更に有する請求項１記載の方法。
【請求項８】
複数のインジケータ経路を与える段階、
を更に有する請求項１記載の方法。
【請求項９】
前記授乳経路と前記インジケータ経路は、前記乳頭部に対して一体的にされる、
請求項１記載の方法。
【請求項１０】
前記授乳経路を介して前記乳児の口に対して与えられている前記流体の量を示すよう、前記インジケータ経路及び前記少なくとも１つの中間チャンバに沿ってグラデーションを与える段階、
を更に有する請求項１記載の方法。
【請求項１１】
流体を前記流体源から前記乳児の口に対して与えるよう複数の授乳経路を与える段階、
を更に有する請求項１記載の方法。
【請求項１２】
前記流体は母乳を有し、
前記授乳経路及び前記インジケータ経路は、母親の乳房から前記母乳を受けるよう適合される、
請求項１記載の方法。
【請求項１３】
前記流体源は哺乳瓶である、
請求項１記載の方法。
【請求項１４】
流体の逆流を防ぐよう前記インジケータ経路において逆止弁を与える段階、
を更に有する請求項１記載の方法。
【請求項１５】
前記母親の乳房と前記インジケータ経路との間において配置される快適パッドを与える段階、
を更に有する請求項１２記載の方法。
【請求項１６】
ミルク貯留容器を与える段階を更に有し、
該ミルク貯留容器は、前記流体源と前記インジケータ経路の前記第１の開口との間に配置され、気泡が前記インジケータ経路に入ることを防ぐよう母乳の供給を維持する、
請求項１２記載の方法。
【請求項１７】
前記インジケータ経路は更に、着脱可能なインジケータ経路を有する、
請求項１記載の方法。
【請求項１８】
前記インジケータ経路は、該インジケータ経路のセグメントの間に少なくとも２つの中間チャンバを有する、
請求項２記載の装置。
【請求項１９】
前記インジケータ経路は、該インジケータ経路のセグメントの間に少なくとも３つの中間チャンバを有する、
請求項２記載の装置。
【請求項２０】
前記インジケータ経路の断面積は、前記授乳経路の断面積より実質的に小さい、
請求項２記載の装置。
【請求項２１】
前記インジケータ経路の長さは、前記授乳経路の長さより実質的に長い、
請求項２記載の装置。
【請求項２２】
前記乳児の口と前記授乳経路の前記第２の開口と前記インジケータ経路の前記第２の開口との間において圧力送出経路を更に有する、
請求項２記載の装置。
【請求項２３】
複数のインジケータ経路を更に有する、
請求項２記載の装置。
【請求項２４】
前記授乳経路及び堰インジケータ経路は、前記乳頭部に対して一体的にされる、
請求項２記載の装置。
【請求項２５】
前記授乳経路を介して前記乳児の口に対して与えられている前記流体の量を示すよう、前記インジケータ経路及び前記少なくとも１つの中間チャンバに沿ってグラデーションを更に有する、
請求項２記載の装置。
【請求項２６】
流体を前記流体源から前記乳児の口に対して与えるよう複数の授乳経路を更に有する、
請求項２記載の装置。
【請求項２７】
前記流体は母乳を有し、
前記授乳経路及び前記インジケータ経路は、母親の乳房から前記母乳を受けるよう適合される、
請求項２記載の装置。
【請求項２８】
前記流体源は哺乳瓶である、
請求項２記載の装置。
【請求項２９】
流体の逆流を防ぐよう前記インジケータ経路において逆止弁を更に有する、
請求項２記載の装置。
【請求項３０】
前記母親の乳房と前記インジケータ経路との間において配置される快適パッドを更に有する、
請求項２７記載の装置。
【請求項３１】
ミルク貯留容器を更に有し、
該ミルク貯留容器は、前記流体源と前記インジケータ経路の前記第１の開口との間に配置され、気泡が前記インジケータ経路に入ることを防ぐよう母乳の供給を維持する、
請求項２７記載の装置。
【請求項３２】
前記インジケータ経路は更に、着脱可能なインジケータ経路を有する、
請求項２記載の装置。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
矯正用物品の基部と、
前記基部の少なくとも一部の上に配置された、窒化ケイ素を含むコーティングとを含む歯科矯正用物品。
【手続補正２】
【補正対象書類名】明細書
【補正対象項目名】００４７
【補正方法】変更
【補正の内容】
【００４７】
図面は、本発明のいくつかの実施形態を表しているが、説明において述べるように、他の実施形態も企図される。いかなる場合も、本開示は本発明を限定するのではなく、代表して提示するものである。本発明の原理の範囲および趣旨に含まれる多数の他の修正形態および実施形態が、当業者によって考案されうることを理解されたい。図は尺度どおりに描かれていないことがある。同様の参照番号が、同様の部分を示すために複数の図を通じて使用されている。
以下に、本願発明に関連する発明の実施の形態を列挙する。
実施形態１
矯正用物品の基部と、
前記基部の少なくとも一部の上に配置された、窒化ケイ素を含むコーティングとを含む歯科矯正用物品。
実施形態２
前記歯科矯正用物品が、歯科矯正用ブラケット及び歯科矯正用アーチワイヤから成る群から選択される、実施形態１に記載の歯科矯正用物品。
実施形態３
前記歯科矯正用物品がセラミックブラケットを含む、実施形態１に記載の歯科矯正用物品。
実施形態４
前記コーティングが、白色反射率標準バックグラウンド及び黒色反射率標準バックグラウンドから成る群から選択される反射率標準バックグラウンドで、基部に対して約４．０以下のΔＥ値を示す、実施形態１に記載の歯科矯正用物品。
実施形態５
前記コーティングの層厚さが約１０μｍ以下である、実施形態１に記載の歯科矯正用物品。
実施形態６
前記コーティングの層厚さが約５μｍ以下である、実施形態５に記載の歯科矯正用物品。
実施形態７
前記コーティングの層厚さが約１μｍ以下である、実施形態６に記載の歯科矯正用物品。
実施形態８
少なくとも１つのアーチワイヤスロットを有する歯科矯正用ブラケットであって、
ブラケット基部と、
少なくとも１つのアーチワイヤスロット内のブラケット基部の上に配置された、窒化ケイ素を含む第一コーティングと、
少なくとも１つのアーチワイヤスロットで前記歯科矯正用ブラケットと係合するように構成された歯科矯正用アーチワイヤとを備える歯科矯正用ブラケットを含む歯科矯正システム。
実施形態９
前記ブラケット基部がセラミック材料を含む、実施形態８に記載の歯科矯正システム。
実施形態１０
前記コーティングが、白色反射率標準バックグラウンド及び黒色反射率標準バックグラウンドから成る群から選択される反射率標準バックグラウンドで、ブラケット基部に対して約４．０以下のΔＥ値を示す、実施形態９に記載の歯科矯正システム。
実施形態１１
前記第一コーティングの層厚さが約５μｍ以下である、実施形態８に記載の歯科矯正システム。
実施形態１２
前記第一コーティングの層厚さが約１μｍ以下である、実施形態１１に記載の歯科矯正システム。
実施形態１３
前記歯科矯正用アーチワイヤが、ワイヤ基部と、前記ワイヤ基部の少なくとも一部の上に配置された、窒化ケイ素を含む第二コーティングとを含む、実施形態８に記載の歯科矯正システム。
実施形態１４
前記歯科矯正用アーチワイヤが少なくとも１つのアーチワイヤスロットで前記歯科矯正用ブラケットと係合する場合、前記第二コーティングが第一コーティングと接触する、実施形態１３に記載の歯科矯正システム。
実施形態１５
歯科矯正用物品の基部を提供することと、
前記基部の少なくとも一部に、窒化ケイ素を含むコーティングを堆積することとを含む、歯科矯正用物品の製造方法。
実施形態１６
前記基部がセラミック材料を含む、実施形態１５に記載の方法。
実施形態１７
プラズマエッチング及び反応性イオンエッチングから成る群から選択される方法で基部を処理することをさらに含む、実施形態１５に記載の方法。
実施形態１８
コーティングの成膜が、化学的気相堆積法、プラズマ強化化学的気相堆積法、スパッタコーティング、電子ビーム反応性コーティング、及びこれらの組み合わせから成る群から選択される、実施形態１５に記載の方法。
実施形態１９
コーティングの成膜が、低圧化学的気相堆積法系を用いてジクロロシランガス及びアンモニアガスを堆積することを含む、実施形態１５に記載の方法。
実施形態２０
前記基部の少なくとも第二部分をマスキングすることをさらに含む、実施形態１５に記載の方法。
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
非薄膜バッテリを具備する装置であって、
埋込可能型ハウジングと、
前記埋込可能型ハウジング内に配置された電子回路と、
前記埋込可能型ハウジング内に配置されたバッテリと
を含み、前記バッテリが、
厚さが１マイクロメートルを超える少なくとも１つの平面状のアノードと厚さが１マイクロメートルを超える少なくとも１つの平面状のカソードを含むスタックと、
前記平面状のアノードとカソードとを含む前記スタックを収容し、ディスプレースメント容積が約０．０２４立方センチメートル未満のバッテリハウジングと、
前記バッテリと前記電子回路を相互接続する端子を具備することを特徴とする、
装置。
【請求項２】
前記埋込可能型ハウジングが円筒形断面を有し、前記バッテリ及び前記電子回路が前記円筒の軸に沿って配置されることを特徴とする請求項１に記載の装置。
【請求項３】
前記電子回路に神経刺激電子回路が含まれることを特徴とする、請求項１又は２に記載の装置。
【請求項４】
前記バッテリが一次バッテリであることを特徴とする、請求項１〜３のいずれか１項に記載の装置。
【請求項５】
前記バッテリが１ヶ月当り約３３ミリアンペア時を供給するようになっていることを特徴とする、請求項１〜４のいずれか１項に記載の装置。
【請求項６】
前記少なくとも１つの平面状カソードに圧縮された粉末が含まれることを特徴とする、請求項１〜５のいずれか１項に記載の装置。
【請求項７】
前記バッテリが第１のバッテリであることと、さらに、前記バッテリに直列に接続された第２のバッテリが含まれることを特徴とする、請求項１〜６のいずれか１項に記載の装置。
【請求項８】
前記バッテリが第１のバッテリであり、さらに、そのバッテリと並列に接続された第２のバッテリが含まれることを特徴とする、請求項１〜６のいずれか１項に記載の装置。
【請求項９】
前記電子回路にセンサが含まれることを特徴とする、請求項１〜８のいずれか１項に記載の装置。
【請求項１０】
前記センサに圧力センサが含まれることを特徴とする、請求項９に記載の装置。
【請求項１１】
前記電子回路にセンサ回路と刺激回路が含まれることを特徴とする、請求項９又は１０に記載の装置。
【請求項１２】
前記ハウジングの外側の面が生体適合性コーティングで被覆されていることを特徴とする、請求項１〜１１のいずれか１項に記載の装置。
【請求項１３】
前記生体適合性コーティングに薬剤溶離コーティングが含まれることを特徴とする、請求項１２に記載の装置。
【請求項１４】
埋込可能型装置の作製方法であって、
埋込部位で測定された状態における流体力学的抵抗を低減させるように前記埋込可能型装置のハウジングの外側をモデル化することを含めて、前記外側を整形するステップと、
少なくとも１つの非薄膜アノードと少なくとも１つの非薄膜カソードとを積層させて、スタックにするステップと、
前記埋込可能型装置の前記ハウジング内部に嵌るように整形された形状で、容積が約０．０２４立方センチメートル未満のバッテリハウジング内に前記スタックを配置するステップが含まれている、
方法。
【請求項１５】
さらに、前記埋込可能型装置の前記ハウジング内に前記バッテリハウジングと電子回路を気密密閉するステップが含まれることを特徴とする、請求項１４に記載の方法。
【請求項１６】
さらに、乱流を低減するように前記埋込可能型装置の前記ハウジングの外側をモデル化するステップが含まれることを特徴とする、請求項１４又は１５に記載の方法。
【請求項１７】
さらに、うっ血を軽減するように前記埋込可能型装置の前記ハウジングの外側をモデル化するステップが含まれることを特徴とする、請求項１４又は１５に記載の方法。
【請求項１８】
さらに、流体の剪断応力を低減するように前記埋込可能型装置の前記ハウジングの外側をモデル化するステップが含まれることを特徴とする、請求項１４又は１５に記載の方法。
【請求項１９】
埋込可能型装置ハウジングと、
前記埋込可能型装置ハウジング内に配置された電子回路と、
前記埋込可能型装置ハウジング内に配置されたバッテリと
を含み、前記バッテリが、
バッテリハウジングと、
第１の端子に接続されたアノードと、
第２の端子に接続されたカソードを具備しており、
前記アノードと前記カソードがボビン構造をなすように構成されることを特徴とする装置。
【請求項２０】
前記アノードと前記カソードが環状で、同軸をなすことを特徴とする、請求項１９に記載の装置。
【請求項２１】
前記電子回路に神経刺激電子回路が含まれることを特徴とする、請求項１９又は２０に記載の装置。
【請求項２２】
前記電子回路に無線送信器が含まれることを特徴とする、請求項１９〜２１のいずれか１項に記載の装置。
【請求項２３】
前記カソードにペレット状のカソードが含まれ、前記アノードにペレット状のアノードが含まれることを特徴とする、請求項１９〜２２のいずれか１項に記載の装置。
【請求項２４】
前記バッテリに、端子に接続された単一アノード電極が含まれることを特徴とする、請求項２３に記載の装置。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
医学／外科廃棄物収集ユニット（３０）の受器に接続されるマニホールド（４６）において、
ハウジング（１５８、１６４）であって、
対向する近位端及び遠位端と、
前記近位端から前方に延在し、ハウジング空洞を少なくとも部分的に画定する近位部分（１５８）と、
前記近位端と前記遠位端との間に延在し且つ前記近位部分を通って延在する回転軸であって、少なくとも前記近位部分が、前記廃棄物収集ユニット受器（４４）内に配置され、前記受器内で前記ハウジング回転軸を中心として回転するように形成される、回転軸と
を備えたハウジングと、
前記ハウジングに接続され、吸引ライン（５０）を受けるように寸法決めされ、前記ハウジング空洞内への流体連通路を有する、少なくとも１つの接続具（４８）と、
前記ハウジング空洞から前記廃棄物収集ユニット（３０）内への流れを可能にする、前記ハウジング（１５８、１６４）内の排出開口（１７０）と、
前記ハウジング内に形成された弁ドライバ（１７０）であって、前記弁ドライバは、前記ハウジング回転軸から偏心すべく位置決めされ且つ前記廃棄物収集ユニット受器（４４）の弁（１３２）と係合するように構成され、前記弁は前記受器を通る流体流れを調整するように構成され、前記回転軸を中心とした前記ハウジングの回転により前記弁ドライバの回転が生じ、前記弁ドライバが前記廃棄物収集ユニット弁を移動させる、弁ドライバと
を備えているマニホールド。
【請求項２】
前記ハウジング（１５８、１６４）は、前記廃棄物収集弁（１３２）の相補的な部品（１３８）を受けるキーホールを画定するように形成された区域を有し、前記キーホールは、前記弁ドライバであることを特徴とする、請求項１に記載のマニホールド。
【請求項３】
前記ハウジング排出開口（１７０）は、前記弁ドライバであることを特徴とする、請求項１あるいは２に記載のマニホールド。
【請求項４】
前記ハウジングは、内部に前記排出開口（１７０）が形成されている円形の基部（１６８）を有するように形成され、前記近位部分（１５８）が、前記基部から遠位側前方に延在する円形の壁を有していることを特徴とする、請求項１，２あるいは３に記載のマニホールド。
【請求項５】
前記ハウジング（１５８、１６４）において、前記接続具（４８）と前記排出開口（１７０）との間に配置されたフィルタ（１６６）をさらに備えていることを特徴とする、請求項１，２，３あるいは４に記載のマニホールド。
【請求項６】
前記ハウジングに取り付けられ、前記ハウジング排出開口（１７０）を通る流体流れを調整する弁（１８７）をさらに備え、前記弁は、前記ハウジングが前記廃棄物収集ユニット受器（４４）内に配置されると、開状態になるように構成され、前記ハウジングが前記受器（４４）から引き出されると、閉状態に移動して前記基部の開口を通る流体流れを防ぐように構成されていることを特徴とする、請求項１，２，３，４あるいは５に記載のマニホールド。
【請求項７】
前記ハウジング（１５８、１６４）に取り付けられ、前記排出開口（１７０）を覆う滴ストッパ（１７４）をさらに備え、前記滴ストッパは、
少なくとも１つの移動可能な弁部材（１８７）であって、前記マニホールドが前記廃棄物収集ユニット受器（４４）内にある時、前記ハウジング排出開口（１７０）を通る流体流れを可能にし、前記マニホールドが前記廃棄物収集ユニット受器から取り外されると、閉じて前記排出開口を通る流体流れを阻止する、弁部材と、
前記マニホールドが前記廃棄物収集ユニット受器（４４）内にある時、前記ハウジング（１５８、１６４）と前記廃棄物収集ユニット受器との間にシールを形成する、シール（１７６）と
を備えていることを特徴とする、請求項１，２，３，４，５あるいは６に記載のマニホールド。
【請求項８】
前記廃棄物収集ユニット受器は、前記マニホールドハウジング近位部分（１５８）が回転し、前記廃棄物収集ユニット弁（１３２）が配置される孔（７２）を有し、
前記ハウジングは、前記ハウジングと一体の少なくとも１つの位置合わせ特徴部（２２２，２２４）を備え、前記位置合わせ特徴部は、前記位置合わせ特徴部が前記受器の相補的な位置合わせ特徴部（１１８、１２０）と係合するときに前記マニホールドハウジング近位部分（１５８）が前記廃棄物収集ユニット受器の孔（７２）に配向され前記マニホールド弁ドライバ（１７０）が前記廃棄物収集ユニット弁（１３２）と整合するように、前記ハウジング排出開口（１７０）に対して位置決めされていることを特徴とする、請求項１，２，３，４，５，６あるいは７に記載のマニホールド。
【請求項９】
前記ハウジングから外方に延在する２つのタブ（２２２、２２４）をさらに備え、前記タブは、前記ハウジング長軸の直径方向に互いに向かい合った側で中心に配置され、前記ハウジングの周りの異なる円弧の範囲を定めるように形成されていることを特徴とする、請求項１，２，３，４，５，６，７あるいは８に記載のマニホールド。
【請求項１０】
前記ハウジングは、前記ハウジング近位部分を画定し、内部に前記排出開口が形成されたシェル（１５８）を備え、
前記ハウジングは、前記シェルを覆って配置され、さらに前記ハウジング空洞を画定するキャップ（１６４）をさらに備えていることを特徴とする、請求項１，２，３，４，５，６，７，８あるいは９に記載のマニホールド。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
拡散装置の拡散ゾーン中へガスを送り込む拡散装置と、拡散ゾーン全面上へ液流を連続的に噴射する手段から成り、液はガスが液流によって維持されそして液とガスが激しく混合されることを特徴とするガス抽出装置。
【請求項２】
前記液流が拡散ゾーン表面に対して全体として平行に噴射されることを特徴とする請求項１項記載の装置。
【請求項３】
前記液流噴射手段が液体注入口から成ることを特徴とする請求項１または２のいずれかに記載の装置。
【請求項４】
前記液体が前記注入口から外側へ放射状に注がれることを特徴とする請求項３項記載の装置。
【請求項５】
前記注入口が、使用時に放射状液面が生成されるように、導管と該導管の口部に隣接して位置する概略円錐形のストッパーから構成されることを特徴とする請求項４項記載の装置。
【請求項６】
前記拡散装置が、少なくとも一部にプレートを貫通して延び拡散ゾーンを形成する複数の開口部を備えるプレートから成ることを特徴とする請求項１〜５のいずれかに記載の装置。
【請求項７】
使用時に液流が衝突する拡散装置の周辺部の周囲に延びる壁がさらに含まれ、拡散装置とこの壁によって液体が位置する窪みが形成されることを特徴とする請求項１〜６のいずれかに記載の装置。
【請求項８】
前記プレートに隣接して位置する少なくとも１つの仕切りがさらに設けられ、この仕切りが使用時にガスが流れる方向に対して平行に延びていることを特徴とする請求項１〜７のいずれかに記載の装置。
【請求項９】
前記拡散装置にガス及び液体に対して不透過性である１拡散ゾーン周囲部分がさらに含まれることを特徴とする請求項１〜８のいずれかに記載の装置。
【請求項１０】
前記拡散装置の下流側から上流側へ液体を通過させる１または２以上の導管がさらに含まれ、前記拡散装置上方の該導管の開口部の高さによって使用時における前記拡散装置上の液体レベルが調節されることを特徴とする請求項１〜９項記載の装置。